(57)【特許請求の範囲】
【請求項１】
射出筒３前端面から前方突設させた嵌合筒４外面へ、ノズルキャップ５を回動自在に嵌合させると共に、射出筒３とノズルキャップ５との間へ介在させて嵌合筒４外面へ上下動自在に嵌合させたストッパ部材10を、ノズルキャップ５の正方向回動により上昇し、かつ逆方向への回動により下降可能に形成し、又射出筒前部から後方向への揺動が可能に、かつ前方付勢させて垂下させたトリガー７に対して、上記ストッパ部材10下部を、下降位置にあっては係合し、かつ上昇位置にあっては離脱して、該離脱位置でだけトリガー後方引寄せ操作が可能とした、トリガー式液体噴出器において、
上記ストッパ部材10を、嵌合筒４外面へ遊嵌させた嵌合孔13付き摺動縦板11の下端部から第１係合板12を後方突出させると共に、該第１係合板の後部下面から係合突部12a を垂下させて形成し、
上記ストッパ部材下降時においては係合突部12a へ、トリガー上部から後方突設した第２係合板14後面が係合し、又ストッパ部材上昇時においては第１係合板12が射出筒３下面へ当接ないし近接する位置まで上昇して、係合突部12a と第２係合板14とが係合不能に形成し、
又上記嵌合筒４の下面を除く外面部分から外向きフランジ状に張出し板15を突出し、該張出し板の左右両外端部から前方へ内面に縦溝16、16を有するガイド板17、17を突出して、それ等両縦溝内へ上記摺動縦板11の左右両側部を上下動自在に嵌合させた
ことを特徴とするトリガー式液体噴出器。
【発明の詳細な説明】
【０００１】
【発明の属する技術分野】
本発明は、トリガー式の液体噴出器に関する。
【０００２】
【従来の技術】
特開2001-10655号が示すように、射出筒前端面から前方突出させた嵌合筒外面へ、ノズルキャップを回動自在に嵌合させると共に、射出筒とノズルキャップとの間に介在させて嵌合筒外面へ上下動自在に嵌合させたストッパ部材を、ノズルキャップの正方向回動で上昇し、かつ逆方向回動で下降可能に形成し、又射出筒前部から後方向への揺動が可能に、かつ前方付勢させて垂下させたトリガーに対して、上記ストッパ部材下部を、下降位置にあっては係合し、かつ上昇位置にあっては離脱して、該離脱位置でだけトリガー後方引き寄せ操作が可能としたトリガー式液体噴出器が知られている。
【０００３】
【発明が解決しようとする課題】
上記トリガー式液体噴出器は、トリガー後面から後方突出させたプランジャ押込み用係合板よりもストッパ部材と係合させてトリガーの後方揺動を阻止させる係合板を、トリガー後面の下方部分から突出させることとなるため、又そのストッパ部材は射出筒前部へ遊嵌させて垂下するためストッパ部材が大形化して余分の資材を必要とすることとなり、従って又ストッパ部材を上下動させるためのノズルキャップ回動にも多くの力を要することとなるものであった。
【０００４】
本発明はこのような欠点を除去できるよう設けたものである。
【０００５】
【課題を解決するための手段】
射出筒３前端面から前方突設させた嵌合筒４外面へ、ノズルキャップ５を回動自在に嵌合させると共に、射出筒３とノズルキャップ５との間へ介在させて嵌合筒４外面へ上下動自在に嵌合させたストッパ部材10を、ノズルキャップ５の正方向回動により上昇し、かつ逆方向への回動により下降可能に形成し、又射出筒前部から後方向への揺動が可能に、かつ前方付勢させて垂下させたトリガー７に対して、上記ストッパ部材10下部を、下降位置にあっては係合し、かつ上昇位置にあっては離脱して、該離脱位置でだけトリガー後方引寄せ操作が可能とした、トリガー式液体噴出器において、
上記ストッパ部材10を、嵌合筒４外面へ遊嵌させた嵌合孔13付き摺動縦板11の下端部から第１係合板12を後方突出させると共に、該第１係合板の後部下面から係合突部12a を垂下させて形成し、
上記ストッパ部材下降時においては係合突部12a へ、トリガー上部から後方突設した第２係合板14後面が係合し、又ストッパ部材上昇時においては第１係合板12が射出筒３下面へ当接ないし近接する位置まで上昇して、係合突部12a と第２係合板14とが係合不能に形成し、
又上記嵌合筒４の下面を除く外面部分から外向きフランジ状に張出し板15を突出し、該張出し板の左右両外端部から前方へ内面に縦溝16、16を有するガイド板17、17を突出して、それ等両縦溝内へ上記摺動縦板11の左右両側部を上下動自在に嵌合させた。
【０００７】
【発明の実施の形態】
以下図面について説明する。まず従来公知の構造について簡単に説明すると、１は容器体、２は該容器体の口頸部へ嵌合させた装着筒で、該装着筒内からは主筒を起立し、該主筒上端から射出筒３を前方突出している。該射出筒前端面からは嵌合筒４を前方突出し、該嵌合筒外面へノズルキャップ５を回動自在に嵌合させている。又主筒の前部および射出筒後部の下面からはシリンダ６を下前方へ傾斜させて突設している。更に射出筒３の前部からは後方向への揺動が可能にトリガー７を垂下し、該トリガー後面から上記シリンダ内へ前方付勢して嵌合されたプランジャ８押込み板９を突出する。
【０００８】
更に射出筒３前端とノズルキャップ５との間には、摺動縦板11下端から第１係合板12を後方突出するストッパ部材10の上記摺動縦板11を、図３のように該摺動縦板に穿設した嵌合孔13を嵌合筒４の基部外面へ上下動自在に遊嵌させて垂下している。又ノズルキャップ５の後端面一部からは、図３が示す係合子5aを突設して上記嵌合孔13内へ遊挿させており、ノズルキャップ５を回動させることで係合子5aが嵌合筒４外面に沿って移動し、図４のように嵌合筒上面の上方へ位置したとき、摺動縦板11が押し上げられ、又図３のように係合子5aが嵌合筒４の側外方へ移動することで摺動縦板11が下降するよう設けている。
【０００９】
本発明にあっては、図４が示すように摺動縦板11が押し上げられたとき、摺動縦板下端から後方突出する第１係合板12が射出筒３の前部下面へ当接ないし近接するよう設けて摺動縦板11の高さを短かく設けた。第１係合板12は後部下面から係合突部12a を垂下しており、図４が示すようにストッパ部材10上昇時にあっては、トリガー７は後方揺動が可能となる。即ち、図１が示すようにストッパ部材下降時にあっては、トリガー７後面から突設した第２係合板14が係合突部12a 前面に接しているため、トリガーの後方揺動は不能であるが、図４のようにストッパ部材10上昇により上記係合突部12a が上方へ移動することで、トリガー７を揺動させても第２係合板14と係合突部12a とは係合せず、よって第２係合板14よりも下方に設けられたプランジャ押込み板９は、プランジャ８をシリンダ奥部内へ付勢に抗して押込み、シリンダ加圧により射出筒を通ってノズルキャップから液体を噴出する。
【００１０】
尚第２係合板14よりも上方のトリガー部分は、該トリガーの左右両側板を延長して形成したアーム板で形成しており、図５が示すようにそれ等アーム板を上方からみて射出筒３の左右両側に位置させ、トリガー後方引寄せ時にはアーム板先端部が射出筒の両側方へ上昇するよう設けている。
【００１１】
又本発明にあっては、嵌合筒４の下面を除く外面部分からフランジ状に張出し板15を突出させ、かつ該張出し板の左右両外端部から前方へ、内面に縦溝16、16を有するガイド板17、17を突出して、それ等両縦溝内へ、図５のように摺動縦板11の左右両側部を上下動自在に嵌合させた。
【００１２】
上記構成において、図１が示すようにストッパ部材10が下降している状態にあっては、トリガー７を後方へ揺動させようとしても、トリガー７上部から後方突出する第２係合板14後端面が、係合筒部12a 前面へ接するため、後方へ揺動させることは出来ず、よってトリガーから後方突出するプランジャ押込み板９もプランジャ８を押込みすることが不能である。尚このときノズルキャップのノズル孔5bは閉塞されている。
【００１３】
次にノズルキャップ５を回動させ、係合子5aを嵌合筒４の上面へ移動させると、摺動縦板11はその左右両側がガイド板17、17の縦溝16、16内へ嵌合されているため上方へ押上げられることとなり、このときストッパ部材10の第１係合板12は射出筒３下面近くまで引き上げられ、よってトリガー７を後方へ揺動させることが出来る。このときノズル孔5bは開孔され、よって射出筒内液体はノズル孔を通って噴出される。
【００１４】
【発明の効果】
本発明は既述構成とするもので、請求項１記載のようにノズルキャップ５回動によってストッパ部材10が上昇したとき、該ストッパ部材の第１係合板12が射出筒３下面へ当接ないし近接するよう設けたから、既述従来例に比してストッパ部材の高さを短かく形成でき、従って該ストッパ部材成形材料も少なくすることが出来る。従って又ストッパ部材を上下動させるためのノズルキャップの回動を容易とすることが出来る。
【００１５】
又嵌合筒の下面を除く外面部分から外方へ張出し板15を突出してこれ等張出し板の左右両外端部から前方へ、内面に縦溝16、16を有するガイド板17、17を突設して、それ等両縦溝内へ摺動縦板11の左右両側部を上下動自在に嵌合させたことで、ノズルキャップ正逆回動による係合子5aの上下動でストッパ部材10を上下動させることが容易となる。尚既述従来例にあっては、上記本発明における、両縦溝11、11内への摺動縦板11左右両側部の嵌合に該当する機構として、張出し板一方側部の前面からガイドとしてのピン33を突設し、又摺動縦板左右方向一方に縦長孔を穿設して該縦長孔内へ上記ピン33を上下動可能に嵌合させていたから、該従来例に比べて本発明の場合は、ピン33および該ピン上下動用のガイド長孔27を設けなくてもよく、これ等ピン33およびガイド長孔部分だけ張出し板および摺動縦板の横巾を狭く設けることが出来る。
【図面の簡単な説明】
【図１】  一部を切欠いて示す、本発明液体噴出器の側面図である。
【図２】  図１液体噴出器から、カバーを外した状態で示す正面図である。
【図３】  図１Ａ−Ａ’線を矢示方向へみた拡大断面図である。
【図４】  ストッパ部材が押上げられた状態で示す要部断面図である。
【図５】  射出筒とトリガー上端部との位置関係を示す拡大平面図である。
【符号の説明】
３…射出筒                    ４…嵌合筒
５…ノズルキャップ            5a…係合子
７…トリガー                  10…ストッパ部材
11…摺動縦板                  12…第１係合板
12a …係合突部                14…第２係合板
15…張出し板                  16…縦溝
17…ガイド板
【図１】
0003904918.tif 000002
【図２】
0003904918.tif 000003
【図３】
0003904918.tif 000004
【図４】
0003904918.tif 000005
【図５】
0003904918.tif 000006